(57)【要約】【課題】積み重ねに際し、正確に位置決めしなくても、確実に積ずれを防止でき、内容物が軽くても、積みずれが生じにくくなるようにする。【解決手段】側板１及び端板２がそれぞれ対向して角筒状をなす周壁が形成され、天面及び底面にそれぞれ係合用の凸部１０及び凹部１１を備えた積ずれ防止機能付き包装箱において、前記凸部１０は、端板２の上部からこれに繋がる天板６へかけて切目を入れることにより形成される上突片８と、側板１に繋がる天板７の側端縁に入れた切目間に形成される切起片９とから成り、上突片８の基部に、中央側が谷となる罫線８ｄが入れられ、端板２からの天板６の折り曲げに伴い、上突片８が基部の罫線８ｄを軸に内側へ傾いた状態で上方へ起立して、切起片９が上突片８で押し上げられ、その状態に保持されるように構成する、また、凹部１１の外端に臨んで下方へ起立する下突片１２を設ける。【選択図】図７
2014218270.tif 000002
【特許請求の範囲】
【請求項１】
側板(1)及び端板(2)がそれぞれ対向して角筒状をなす周壁が形成され、天面及び底面にそれぞれ係合用の凸部(10)及び凹部(11)を備えた積ずれ防止機能付き包装箱において、前記凸部(10)は、端板(2)の上部からこれに繋がる天板(6)へかけて切目を入れることにより形成される上突片(8)から成り、上突片(8)の基部に、中央側が谷となる罫線(8d)が入れられ、端板(2)からの天板(6)の折り曲げに伴い、上突片(8)が基部の罫線(8d)を軸に内側へ傾いた状態で上方へ起立することを特徴とする包装箱。
【請求項２】
請求項１に記載の包装箱において、端板(2)及び側板(1)の上辺からそれぞれ延びる天板(6,7)を順次重ね合わせて天面が閉止され、前記凸部(10)は、側板(1)に繋がる天板(7)の側端縁に入れた切目間に形成される切起片(9)を備え、切起片(9)が内側へ傾いて起立した上突片(8)で押し上げられ、その状態に保持されることを特徴とする包装箱。
【請求項３】
請求項１又は２に記載の包装箱において、端板(2)及び側板(1)の下辺からそれぞれ延びる底板(4,5)を順次重ね合わせて底面が閉止され、前記凹部(11)は、側板(1)に繋がる底板(5)の側端縁を切り欠いたものとされ、端板(2)の下部からこれに繋がる底板(4)へかけて切目を入れることにより形成される下突片(12)が、端板(2)からの底板(4)の折り曲げに伴い、前記凹部(11)の外端に臨んで下方へ起立することを特徴とする包装箱。
【発明の詳細な説明】
【技術分野】
【０００１】
この発明は、積み重ね時のずれを防止する機能を備えた包装箱に関するものである。
【背景技術】
【０００２】
従来、この種の包装箱として、下記特許文献１には、図９に示すようなものが記載されている。この包装箱は、側板５１及び端板５２がコーナー部を介して隣り合い、端板５２及び側板５１の上辺からそれぞれ延びる天板５３，５４を順次重ね合わせて天面が閉止され、天面及び底面にそれぞれ係合用の凸部５５及び凹部５６を備えたものである。
【０００３】
前記凸部５５は、側板５１の上部から天板５４へかけて切り込むことにより形成され、側板５１からの天板５４の折り曲げに伴い、上方へ直立するように突出する。前記凹部５６は、側板５１の下部から底面にかけて、稜部を凸部５５に対応する形状に切り抜くことにより形成されている。
【０００４】
このような包装箱は、輸送時や保管時に複数個積み重ねる際、下段側の包装箱の凸部５５を、上段側の包装箱の凹部５６に嵌め込むように係合させて、下段側と上段側の包装箱相互のずれを規制し、荷崩れを防止する。
【先行技術文献】
【特許文献】
【０００５】
【特許文献１】実開昭５５−１５３３３３号公報
【発明の概要】
【発明が解決しようとする課題】
【０００６】
しかしながら、上記のような包装箱では、積み重ねに際し、下段側と上段側の包装箱の位置がずれていると、上段側の包装箱の底面に潰されるように下段側の包装箱の凸部５５が内外いずれかの方向へ倒れて、凸部５５と凹部５６とが係合しなくなり、積ずれを防止できなくなるおそれがある。
【０００７】
また、例えば、包装箱の内容物が紙おむつのように軽くて体積の大きいものである場合には、積み重ねた状態において、流通過程で上段側の包装箱に側方から押される力が作用すると、下段側の包装箱に対し上段側の包装箱が滑るようにずれて、荷崩れが発生しやすくなるという問題もある。
【０００８】
そこで、この発明は、積み重ねに際し、正確に位置決めしなくても、確実に積ずれを防止でき、内容物が軽くても、積みずれが生じにくくなるようにすることを課題とする。
【課題を解決するための手段】
【０００９】
上記課題を解決するため、この発明は、側板及び端板がそれぞれ対向して角筒状をなす周壁が形成され、天面及び底面にそれぞれ係合用の凸部及び凹部を備えた積ずれ防止機能付き包装箱において、前記凸部は、端板の上部からこれに繋がる天板へかけて切目を入れることにより形成される上突片から成り、上突片の基部に、中央側が谷となる罫線が入れられ、端板からの天板の折り曲げに伴い、上突片が基部の罫線を軸に内側へ傾いた状態で上方へ起立する構成を採用したのである。
【００１０】
また、前記包装箱において、端板及び側板の上辺からそれぞれ延びる天板を順次重ね合わせて天面が閉止され、前記凸部は、側板に繋がる天板の側端縁に入れた切目間に形成される切起片を備え、切起片が内側へ傾いて起立した上突片で押し上げられ、その状態に保持される構成を採用したのである。
【００１１】
さらに、前記包装箱において、端板及び側板の下辺からそれぞれ延びる底板を順次重ね合わせて底面が閉止され、前記凹部は、側板に繋がる底板の側端縁を切り欠いたものとされ、端板の下部からこれに繋がる底板へかけて切目を入れることにより形成される下突片が、端板からの底板の折り曲げに伴い、前記凹部の外端に臨んで下方へ起立する構成を採用したのである。
【発明の効果】
【００１２】
この包装箱では、天面の凸部をなす上突片が、上方へかけて内側へ傾いた状態で起立しているので、積み重ねに際し、下段側と上段側の包装箱の位置が多少ずれていても、上突片が外側へ倒れることがなく、底面の凹部を大きめに形成しておくことにより、下段側の包装箱の凸部と上段側の包装箱の凹部とを係合させることができ、内容物の軽重に関わらず、積ずれを防止することができる。
【００１３】
また、天面の凸部が、上記のように傾斜した上突片と、これにより押し上げられて、その状態に保持される切起片とから成るので、凸部が大きく潰れにくい構造となり、確実な積ずれ防止効果を得ることができる。
【００１４】
また、底面の凹部に臨む下突片を設けたので、積み重ねに際し、下突片が凸部を凹部へ誘導するガイドとなり、積み重ね状態で、上段側又は下段側のいずれかの包装箱の端板が不意に押された場合等において、凸部と凹部との係合離脱が下突片で阻止されるので、積ずれ防止効果を向上させることができる。
【図面の簡単な説明】
【００１５】
【図１】この発明に係る積ずれ防止機能付き包装箱のブランクを示す図
【図２】図１のII−II部拡大図
【図３】図１のIII−III部拡大図
【図４】同上の包装箱の組立状態を示す斜視図
【図５】同上の底面の凹部付近を示す斜視図
【図６】同上の天面の凸部付近を示す斜視図
【図７】同上の包装箱の積み重ね状態を示す斜視図
【図８】同上の係合部分を示す斜視図
【図９】従来の積ずれ防止機能付き包装箱の積み重ね状態を示す斜視図
【発明を実施するための形態】
【００１６】
以下、この発明の実施形態を添付図面に基づいて説明する。
【００１７】
この包装箱は、図１に示すような段ボールのブランクから組み立てられる溝切型のものである。このブランクでは、各一対の側板１及び端板２が交互に連設され、一方の側板１の外側辺には継代片３が連設されている。端板２の下辺には底板４が、側板１の下辺には底板５がそれぞれ連設され、端板２の上辺には天板６が、側板１の上辺には天板７がそれぞれ連設されている。
【００１８】
端板２と天板６の稜部には、上突片８が幅方向に間隔をあけて２個ずつ設けられ、天板７の側端縁には、切起片９が設けられて、上突片８と切起片９により、凸部１０が構成されるようになっている。
【００１９】
底板５の側端縁には、凹部１１が設けられ、端板２と底板４の稜部には、下突片１２が幅方向に間隔をあけて２個ずつ設けられている。
【００２０】
ここで、図２に示すように、上突片８は、端板２の上部から天板６へかけて垂直に延びる２本の切目８ａと、各切目８ａの上端から接近する方向へ斜めに延びる切目８ｂと、これらの切目８ｂの上端間に亘るコ字状の切目８ｃを入れることにより形成され、上突片８の基部には、中央側が谷となるＶ字状の罫線８ｄが入れられている。罫線８ｄは、組立時に容易に折れ曲がるようにするため、切目と押罫とが断続するリード罫とされている。
【００２１】
また、切起片９は、天板７の側端縁に入れた２本の切目９ａ間に形成され、切目９ａの基部には、切目９ａ間に亘る罫線９ｂが入れられている。罫線９ｂもまた、組立時に容易に折れ曲がるようにするため、切目と押罫とが断続するリード罫とされている。
【００２２】
また、図３に示すように、凹部１１は、底板５の側端縁の側板１寄りの部分から先端へかけて大きく切り欠くことにより形成され、下突片１２は、端板２の下部から底板４へかけてコ字状の切目１２ａを入れることにより形成されている。
【００２３】
上記のようなブランクを組み立てて物品を包装する際には、図４に示すように、各一対の側板１及び端板２を四角筒状に折り曲げ、継代片３を反対側の端板２に貼り付けて周壁を形成し、底板４，５を順次折り曲げて重ね合わせ、底板５の突合部から端板２の下部へかけてテープＴを貼り付けることにより、底面を閉じる。
【００２４】
そして、この状態で箱内に物品を収納し、天板６，７を順次折り曲げて重ね合わせ、天板７の突合部から端板２の上部へかけてテープＴを貼り付けることにより、天面を閉じると、包装作業が完了する。
【００２５】
上記組立過程において、底面を閉じる際、図５に示すように、端板２からの底板４の折り曲げに伴い、下突片１２が凹部１１の外端に臨んで垂直下方へ起立する。
【００２６】
また、天面を閉じる際、図６に示すように、端板２からの天板６の折り曲げに伴い、罫線８ｄを軸として、上突片８が内側へ傾いた状態で上方へ起立し、天板６，７を重ねることにより、切起片９が上突片８で押し上げられて、その状態に保持され、上突片８と切起片９とから凸部１０が形成される。
【００２７】
このように組み立てた包装箱を、物品の輸送や保管に際し、積み重ねておく場合には、図７及び図８に示すように、下段側の包装箱の凸部１０を、上段側の包装箱の凹部１１に嵌め込むように係合させる。
【００２８】
上記のような包装箱では、天面の凸部１０をなす上突片８が、上方へかけて内側へ傾いた状態で起立しているので、積み重ねに際し、下段側と上段側の包装箱の位置が多少ずれていても、上突片８が外側へ倒れることがなく、底面の凹部１１を大きめに形成しておくことにより、下段側の包装箱の凸部１０と上段側の包装箱の凹部１１とを係合させることができ、内容物の軽重に関わらず、積ずれを防止することができる。
【００２９】
また、天面の凸部１０が、上記のように傾斜した上突片８と、これにより押し上げられて、その状態に保持される切起片９とから成るので、凸部１０が大きく潰れにくい構造となり、確実な積ずれ防止効果を得ることができる。
【００３０】
また、底面の凹部１１に臨む下突片１２を設けたので、積み重ねに際し、下突片１２が凸部１０を凹部１１へ誘導するガイドとなり、積み重ね状態で、上段側又は下段側のいずれかの包装箱の端板２が不意に押された場合等において、凸部１０と凹部１１との係合離脱が下突片１２で阻止されるので、積ずれ防止効果を向上させることができる。
【００３１】
なお、上記実施形態では、上突片８の基部の罫線８ｄとして、Ｖ字状のものを例示したが、罫線８ｄは、中央側が谷となる形状であれば、弧状に湾曲した形状や、逆台形の斜辺と底辺をなすような折線であってもよい。
【００３２】
また、側板１が長面となり、端板２が幅面となる包装箱について例示しているが、側板１が幅面となり端板２が長面となる包装箱や、側板１と端板２の間に面取り部を有する包装箱についても、同様の積ずれ防止構造を採用することができる。
【００３３】
また、溝切型の包装箱について例示しているが、ワンタッチ底やラップラウンド形式の包装箱等、他の形式の包装箱についても、切起片９や下突片１２を省略することにより、上記のような積ずれ防止構造を採用することができる。
【符号の説明】
【００３４】
１  側板
２  端板
３  継代片
４，５  底板
６，７  天板
８  上突片
８ａ，８ｂ，８ｃ  切目
８ｄ  罫線
９  切起片
９ａ  切目
９ｂ  罫線
１０  凸部
１１  凹部
１２  下突片
１２ａ  切目
Ｔ  テープ
【図１】
2014218270.tif 000003
【図２】
2014218270.tif 000004
【図３】
2014218270.tif 000005
【図４】
2014218270.tif 000006
【図５】
2014218270.tif 000007
【図６】
2014218270.tif 000008
【図７】
2014218270.tif 000009
【図８】
2014218270.tif 000010
【図９】
2014218270.tif 000011